(57)【特許請求の範囲】
【請求項１】
薄型ディスプレーを周囲で保持するため金属板から形成された薄型ディスプレーのフレーム枠であって、
前記フレーム枠は、接続部で接続された複数の分割フレームから構成され、
それぞれの接続部においてそれぞれ接続された一方の分割フレームには、差込み方向に沿った一対の平行な側端面を有した板状の差込み部を備えた被嵌合部が一体に形成され、
他方の分割フレームには、前記差込み部を差し込むときに前記平行な側端面をガイドするガイド部と、前記差込み部に当接することで当該差込み部の嵌合部に対する差込み方向への相対変位をロック位置に規制するストッパ部とを備えた嵌合部が一体に形成されるとともに、
前記ロック位置で嵌合部と被嵌合部とが嵌合された状態で、差込み部の嵌合部に対する差込み方向と反対方向への相対変位を規制して固定するロック部が設けられ、
前記差込み部を前記ガイド部に差込み、前記被嵌合部が前記ストッパ部に当接することで当該差込み部がロック位置に嵌合されるとともに、前記ロック部により固定され前記フレーム枠の全体が組み立てられる
ことを特徴とする薄型ディスプレーのフレーム枠。
【請求項２】
前記ロック部は、前記それぞれの接続部でそれぞれ接続されたいずれか一方の分割フレームに掛止部を、他方の分割フレームに被掛止部を備え、
前記被掛止部は差込み方向と反対の方向に面した被掛止端面を有した窓状に形成され、
前記掛止部は、前記分割フレームの金属板において切曲げ加工により一部を接続したまま爪状に切断するとともに、被掛止部側に爪状の部分を変形させて前記差込み部の差込み方向と反対側の面に掛止端面を形成した板ばね状の掛止爪を備え、
前記差込み部が前記ガイド部に差込まれ前記ロック位置になるまでは  前記掛止爪が弾性変形することで、前記差込み部の差込み方向の進入を許容するとともに、
前記差込み部が前記ロック位置に来たときは、前記掛止爪が前記窓状に形成された被掛止部に進入して前記被掛止端面に前記掛止端面が当接することで前記差込み部の嵌合部に対する差込み方向と逆の抜去方向への相対変位を規制する
ことを特徴とする請求項１に記載の薄型ディスプレーのフレーム枠。
【請求項３】
前記ガイド部は前記分割フレームの金属板において一部を接続部として残して切断するとともに曲げ加工によって、前記差込み方向に沿った一対の平行な側端面を有した板状の差込み部を両側からガイドするように前記嵌合部から対向して突出させた断面Ｌ字状の部材を備えた
ことを特徴とする請求項２に記載の薄型ディスプレーのフレーム枠。
【請求項４】
前記分割フレームの前記嵌合部若しくは前記被嵌合部の基端部において、分割フレームの板厚分の段差ができるように段曲げ加工され、前記接続部において前記分割フレームを接続してフレーム枠を組み立てたときに、嵌合部を備えた分割フレームと被嵌合部を備えた分割フレームとの、前記基端部より先端側を除くそれぞれの面とが面一となるように段差部が形成されていることを特徴とする請求項１乃至請求項３のいずれか１項に記載の薄型ディスプレーのフレーム枠。
【請求項５】
前記フレーム枠は、全体が直線部とこれらを結合する４つのコーナー部からなる概ね長方形に形成され、
少なくとも前記分割フレームは、それぞれのフレーム枠のコーナー部を含み、前記直線部で当該分割フレームを接続する４つの分割フレームを備えた
ことを特徴とする請求項１乃至請求項４のいずれか１項に記載の薄型ディスプレーのフレーム枠。
【請求項６】
前記嵌合部、被嵌合部は、前記分割フレームの一端部に２か所以上設けられ、これらのうち少なくとも２つが、互いに直交する分割フレームの面に配置され、
前記被嵌合部は、前記分割フレームの金属板にエンボス加工により形成された突起であり、
前記嵌合部は、当該突起に対応した穴が形成され前記突起を嵌合することを特徴とする請求項１に記載の薄型ディスプレーのフレーム枠。
【請求項７】
請求項１乃至請求項６のいずれか１項に記載の薄型ディスプレーのフレーム枠を製造するための分割フレーム。
【発明の詳細な説明】
【技術分野】
【０００１】
本発明は、薄型ディスプレーのフレーム枠に係り、詳しくは簡易な設備で容易に製造でき、かつ精度の高い大型の薄型ディスプレーのフレーム枠に関する。
【背景技術】
【０００２】
ＣＲＴに代わり近年ディスプレーとして主流となりつつある液晶ディスプレーやプラズマディスプレー、有機ＥＬディスプレー、電界放出型ディスプレー等の薄型のディスプレー（以下、「薄型ディスプレー」という。）は、テレビなどの大型化の傾向から薄型ディスプレーも大型化し、これらを機器に装着しシールドをするための金属製のディスプレー用のフレーム枠も大型化している。従来このような薄型ディスプレーのフレーム枠（以下単に「フレーム枠」という。）では、打ち抜き前の金属板であるブランクから全体を概ね長方形の外形に一体で打ち抜くとともに、内側に画面に合わせた開口部を打ち抜き、この打ち抜き工程により形成された金属板をプレス成形してフレーム枠を形成していた。なお、打ち抜いた部分は廃棄物として処理していた。しかし、薄型ディスプレーの大型化によりフレーム枠全体を一体に形成するには大型のプレス装置が必要になり設備が大がかりになるとともに、各種の画面サイズに合わせたプレス用の金型もそれぞれ必要になる。さらに、打ち抜いたブランクが無駄になるという問題もあった。
【０００３】
そこで、図１５に示す特許文献１に記載された発明のように予め複数の分割フレーム１０２ａ，１０２ｂ，１０２ｃ，１０２ｄを打ち抜いて断面Ｌ字状に成形し、これらを溶接することで一体化して長方形の形状を形成するフレーム枠１０１ようなものが提案された。また、特許文献２には、フレーム枠全体をコーナー部分で２分割し、略Ｌ字状にプレス機で打ち抜いた金属板の端部に、くびれ部を有する単数又は複数の凸部と凹部を備えた嵌合係止部を設け上下方向からカシメて固定した後に、この嵌合係止部分を折り曲げてディスプレーを保持するフレーム枠とするような方法が提案されている。
【特許文献１】特開２００４−１７９２０７号公報
【特許文献２】特開２０００−３１４８７２号公報
【発明の開示】
【発明が解決しようとする課題】
【０００４】
ところが、溶接作業には、溶接のための装置が必要となり、またカシメ作業ではプレス機などのカシメのための装置が必要となる。そればかりか、いずれも接合のための煩雑な作業が必要となり、特に溶接では、正確な接合をするために作業に熟練を要するという問題があった。
【０００５】
本発明は、簡易な設備で容易に製造でき、かつ精度の高い大型の薄型ディスプレーのフレーム枠を提供することにある。
【課題を解決するための手段】
【０００６】
上記課題を解決するため、請求項１に係る発明では、薄型ディスプレーを周囲で保持するため金属板から形成された薄型ディスプレーのフレーム枠であって、前記フレーム枠は、接続部で接続された複数の分割フレームから構成され、それぞれの接続部においてそれぞれ接続された一方の分割フレームには、差込み方向に沿った一対の平行な側端面を有した板状の差込み部を備えた被嵌合部が一体に形成され、他方の分割フレームには、前記差込み部を差し込むときに前記平行な側端面をガイドするガイド部と、前記差込み部に当接することで当該差込み部の嵌合部に対する差込み方向への相対変位をロック位置に規制するストッパ部とを備えた嵌合部が一体に形成されるとともに、前記ロック位置で嵌合部と被嵌合部とが嵌合された状態で、差込み部の嵌合部に対する差込み方向と反対方向への相対変位を規制して固定するロック部が設けられ、前記差込み部を前記ガイド部に差込み、前記被嵌合部が前記ストッパ部に当接することで当該差込み部がロック位置に嵌合されるとともに、前記ロック部により固定され前記フレーム枠の全体が組み立てられることを要旨とする。
【０００７】
この発明によれば、大型のプレス機などを必要とせず各分割フレームが製造できるという効果がある。また、各分割フレームは溶接やカシメ等の作業なしに差込み部をガイド部に差込み、被嵌合部がストッパ部に当接することで差込み部がロック位置に嵌合されるとともに、ロック部により固定されるため極めて容易にフレーム枠の全体が組み立てられるという効果がある。さらに、分割フレームを用いたことで、各種のサイズにも組合せで対応しやすくなるという効果がある。
【０００８】
請求項２に係る発明では、請求項１に記載の薄型ディスプレーのフレーム枠において、前記ロック部は、前記それぞれの接続部でそれぞれ接続されたいずれか一方の分割フレームに掛止部を、他方の分割フレームに被掛止部を備え、前記被掛止部は差込み方向と反対の方向に面した被掛止端面を有した窓状に形成され、前記掛止部は、前記分割フレームの金属板において切曲げ加工により一部を接続したまま爪状に切断するとともに、被掛止部側に爪状の部分を変形させて前記差込み部の差込み方向と反対側の面に掛止端面を形成した板ばね状の掛止爪を備え、前記差込み部が前記ガイド部に差込まれ前記ロック位置になるまでは前記掛止爪が弾性変形することで、前記差込み部の差込み方向の進入を許容するとともに、前記差込み部が前記ロック位置に来たときは、前記掛止爪が前記窓状に形成された被掛止部に進入して前記被掛止端面に前記掛止端面が当接することで前記差込み部の嵌合部に対する差込み方向と逆の抜去方向への相対変位を規制することを要旨とする。
【０００９】
この発明によれば、プレス加工のみでロック部を含めた分割フレームが形成されるため製造が容易になるという効果がある。また差込み部を差込むだけで簡単にロックできるのでフレーム枠の組立も極めて簡単にできるという効果もある。
【００１０】
請求項３に係る発明では、請求項２に記載の薄型ディスプレーのフレーム枠において、前記ガイド部は前記分割フレームの金属板において一部を接続部として残して切断するとともに曲げ加工によって、前記差込み方向に沿った一対の平行な側端面を有した板状の差込み部を両側からガイドするように前記嵌合部から対向して突出させた断面Ｌ字状の部材を備えたことを要旨とする。
【００１１】
この発明によれば、プレス加工のみでガイド部を含めた分割フレームが形成されるため製造が容易になるという効果がある。また、ガイド部を備えるため、差込みが方向が正確にガイドされフレーム枠の寸法精度が向上するという効果がある。
【００１２】
請求項４に係る発明では、請求項１乃至請求項３のいずれか１項に記載の薄型ディスプレーのフレーム枠において、前記分割フレームの前記嵌合部若しくは前記被嵌合部の基端部において、分割フレームの板厚分の段差ができるように段曲げ加工され、前記接続部において前記分割フレームを接続してフレーム枠を組み立てたときに、嵌合部を備えた分割フレームと被嵌合部を備えた分割フレームとの、前記基端部より先端側を除くそれぞれの面とが面一となるように段差部が形成されていることを要旨とする。
【００１３】
この発明によれば、段差部により各分割フレームの面が面一に形成されるため、フレーム枠の表面がフラットな形状とすることがでできる。
請求項５に係る発明では、請求項１乃至請求項４のいずれか１項に記載の薄型ディスプレーのフレーム枠において、前記フレーム枠は、全体が直線部とこれらを結合する４つのコーナー部からなる概ね長方形に形成され、少なくとも前記分割フレームは、それぞれのフレーム枠のコーナー部を含み、前記直線部で当該分割フレームを接続する４つの分割フレームを備えたことを要旨とする。
【００１４】
この発明によれば、直線部で分割するため、コーナー部での角度の狂いがなくなるという効果がある。また、直線部に任意の長さの分割フレームを加えることで、所望の寸法のフレーム枠を製造することができる。
【００１５】
請求項６に係る発明では、請求項１に記載の薄型ディスプレーのフレーム枠において、前記嵌合部、被嵌合部は、前記分割フレームの一端部に２か所以上設けられ、これらのうち少なくとも２つが、互いに直交する分割フレームの面に配置され、前記被嵌合部は、前記分割フレームの金属板にエンボス加工により形成された突起であり、前記嵌合部は、当該突起に対応した穴が形成され前記突起を嵌合することを要旨とする。
【００１６】
この発明によれば、比較的加工が簡単なエンボス加工とこれに対応した穴を形成するだけで分割フレームを形成できるため製造が容易になるという効果がある。また、フレーム枠の組立もはめこむだけで簡単にできるという効果がある。
【００１７】
請求項７に係る発明では、請求項１乃至請求項６のいずれか１項に記載の薄型ディスプレーのフレーム枠を製造するための分割フレームを要旨とする。
この発明によれば、分割フレームを用いることで容易にフレーム枠を組み立てることができるという効果がある。また、サイズの異なる分割フレームを組み合わせることで、種々の大きさのフレーム枠が形成できるとともに、サイズに応じた多数の金型を準備する必要もない。
【発明の効果】
【００１８】
本発明の薄型ディスプレーのフレーム枠によれば、大型のフレーム枠であっても簡易な設備で容易に製造でき、かつ高い精度を維持することができる。
【発明を実施するための最良の形態】
【００１９】
（第１の実施形態）
以下、本発明を具体化した一実施形態である薄型ディスプレーを保持するための薄型ディスプレーのフレーム枠１を図１〜図１２にしたがって説明する。
【００２０】
図１に示すフレーム枠１の斜視図は、フレーム枠１を裏面側の右下方から見た図であり、図１において右奥側が薄型のディスプレーＤＰを設置した場合の上方になり、図１の下方がディスプレーＤＰの前面側になる。図１に示すディスプレーＤＰのフレーム枠１は、全体が平坦な金属板からなる本体部１１が横長の長方形の窓枠状に形成されるとともに、その周縁がここに保持されるディスプレーＤＰ側（背面側）に９０度折り曲げられ保持部１２が形成される。ディスプレーＤＰは背面側からフレーム枠１に装着される。また、フレーム枠１をテレビ本体（不図示）などに装着するためのねじが挿入されるフレーム固定穴１３がフレーム枠１の四隅にそれぞれ設けられるとともに、保持するディスプレーＤＰを上下方向からねじ止め固定するためのねじを挿入するディスプレー固定穴１４が保持部１２の上側に４か所、下側に２か所それぞれ設けられる。このフレーム固定穴１３に挿入されたビス（不図示）がテレビ本体（不図示）のフレームに螺入されることによりフレーム枠１がテレビ本体に固定されるとともに、ディスプレー固定穴１４から挿入されたビス（不図示）がディスプレーＤＰの所定のねじ穴に螺入されディスプレーＤＰがフレーム枠１に固定される。
【００２１】
本実施形態のフレーム枠１は接続部により複数（実施形態では８）の分割フレームに分割可能なっている。実施形態では、接続部はフレーム枠１に８か所それぞれ設けられ、８つの分割フレームに分割される。
【００２２】
この接続部は、８つの接続部から構成され、上側の直線部分には右側に上右接続部３ａと左側に上左接続部３ｂがそれぞれ設けられる。また、左側の直線部分には上方に左上接続部３ｃと下側に左下接続部３ｄがそれぞれ設けられる。さらに下側の直線部分には、左側に下左接続部３ｅと右側に下右接続部３ｆがそれぞれ設けられる。そして右側の直線部分には、下側に右下接続部３ｇと上側に右上接続部３ｈがそれぞれ設けられる。これらの接続部３ａ〜３ｈ（以下、特に区別しないときには、単に「接続部３」という。）により、フレーム枠１が８分割することが可能に構成されている。
【００２３】
このように分割されたフレーム枠１は、右上コーナーを含む右上分割フレーム２ａ、左上コーナーを含む左上分割フレーム２ｃ、その間の上側直線部の上分割フレーム２ｂを有する。また、右下コーナーを含む右下分割フレーム２ｇ、左下コーナーを含む左下分割フレーム２ｅ、その間の下側直線部の下分割フレーム２ｆを有する。そして、右側直線部の右分割フレーム２ｈ、左側直線部の左分割フレーム２ｄを有する。以上８つの分割フレーム２ａ〜２ｈ（以下、特に区別しないときには、単に「分割フレーム２」という。）は、それぞれ別個に製造され、接続部３でそれぞれ接続されて完成したフレーム枠１となる。
【００２４】
（接続部）次に、本発明の要部である接続部３について詳細に説明する。図４に示すように接続部３は、図３に示す嵌合部５と、ここに嵌合される図２に示す被嵌合部４とからなる。
【００２５】
（被嵌合部）図２に示すように、被嵌合部４は、それぞれの接続部３（図４参照）でそれぞれ接続された一方の分割フレーム２に一体に形成されている。この被嵌合部４は矢印で示す差込み方向に沿った一対の平行な側端面４２，４２を有した板状の差込み部４１を有する。
【００２６】
（嵌合部）一方、嵌合部５は、接続部３（図４参照）の他方の分割フレーム２に一体に形成される。
（ガイド部）嵌合部５は、差込み部４１を差し込むときに平行な側端面４２，４２をガイドする４つのガイド部５１を有する。図５に示すように、ガイド部５１は、嵌合部５の金属板において一体に形成され、差込み部４１を側端面４２において両側から挟みこんでガイドするように嵌合部５から突出させた断面Ｌ字状に形成された部材である。一対のガイド部５１，５１は、その先端が対向するように設けられている。また、ガイド部５１、５１は、図３に示すように差込み方向に沿って合計二対、４か所に設けられる。このためガイド部５１は、差込み部４１を差込み方向と直交する方向において正確に規制して差込み部４１を正確な位置に維持する。
【００２７】
（ストッパ部）次に、図４を参照して差込み部４１を嵌合部５の所定位置で当接させ差込みを規制するストッパ部６を説明する。図６に示すように、ストッパ部６，６は、分割フレーム２の長手方向に沿った中心軸について対照な位置に嵌合部５の金属板において一体に一対配設されるとともに、差込み方向と反対の向きに端部が来るように長方形の舌状の部材であるストッパ部６、６が形成される。このストッパ部６，６の先端部６１，６１は板厚の半分程度嵌合部５の面から突出するように形成されている。先端部６１，６１は差込み方向と直交する面が形成され、２つの先端部６１，６１は同一面上に形成される。このため、差込み部４１の差込み方向側の先端面４３と面接触する。本願では、この先端面４３と先端部６１，６１とが面接触した位置をロック位置という。
【００２８】
このようにストッパ部６，６は、差込み部４１の先端に先端部６１，６１を当接させて差込み部４１相対変位をロック位置において正確に規制する。
（ロック部）
次に、接続部３をロック位置で固定するロック部７を説明する。図６に示すように、ロック部７は嵌合部５に前記ロック位置で嵌合部５と被嵌合部４とが嵌合された状態で、差込み部４１の嵌合部５に対する差込み方向と反対の抜去方向への相対変位を規制して固定する。
【００２９】
ロック部７は、それぞれの接続部３でそれぞれ接続されたいずれか一方の分割フレーム２に相互に掛止することでロック状態を維持する。
本実施形態では、図３、図６に示すように、嵌合部５のガイド部５１，５１の間に、４か所の掛止部としての爪状の掛止爪７１が設けられる。
【００３０】
掛止爪７１は、分割フレーム２の長手方向に沿った中心軸について対照な位置に嵌合部５の金属板と一体に一対配設されるとともに、差込み方向にずらした位置にさらに一対、合計で４か所配設される。長方形の板ばね状の部材である４つの掛止爪７１は、差込み方向の向きに端部が来るように、形成される。それぞれの掛止爪７１の先端部７２は板厚の半分程度差込み部４１が進入する面側に突出するように形成されている。それぞれの先端部７２は差込み方向と直交する面に形成されている。
【００３１】
一方、図２に示すように被嵌合部４の差込み部４１には、被掛止部としての窓状の掛止窓７３が、ロック位置における４つの掛止爪７１とそれぞれ対応する位置に開口されている。
【００３２】
また、図６に示すように、この掛止窓７３の差込み方向側の縁端部７４は、ロック位置において掛止爪７１の先端部７２と一致する位置になるように配置されている。なお、図５，６は説明のため厚さを誇張して図示しているが、実際には掛止爪７１の傾きは微小なもので、先端部７２と縁端部７４との間隙も微小なもので、遊びなしに正確にロック位置を維持するものである。
【００３３】
（段差部）
なお、分割フレーム２を接続するときには、それぞれの接続部３を構成する嵌合部５及び被嵌合部４が重なって接続されるが、それぞれの分割フレーム２の面は面一になることが望ましい。そこで本発明ではそれぞれの分割フレーム２の面が面一になるように板厚分の段差を調整している。
【００３４】
実施形態では、図６に示すように、差込み部４１は、差込み部４１の基端部において、その板厚分の段差ができるように厚さ方向にオフセットする段曲げ加工された段差部８が形成される。この段差部８は、フレーム枠１を組み立てたときに嵌合部５を備えた他の分割フレーム２と、差込み部４１が形成された分割フレーム２の差込み部４１を除く面とが面一となるように形成されている。
【００３５】
（製造方法）
次に、このように構成された分割フレーム２の製造方法について説明する。各分割フレーム２は、まず素材であるブランク（金属板）から、所定の形状がプレス機で打ちぬかれる。金属板の材料は、本実施形態ではＳＵＳ材によるが、プレス機によるせん断、塑性変形が可能で、掛止爪７１を形成した場合に板ばねとして機能する弾性があれば用途により鉄系、マグネシウム系、チタン系等種々の材料が用いられる。また、金属板の厚さはフレーム枠１の大きさにもよるが、実施形態では０．５ｍｍ〜１．０ｍｍ程度の板厚のもので製造している。また、フレーム固定穴１３やディスプレー固定穴１４（図１参照）などもプレス機により穿設される。これらの形状打ち抜きは、必要に応じて複数の工程に分割・統合することもできる。接続部３の構成もこのときに形成される。図７に示すようにストッパ部６・ロック部７の掛止爪７１は切り曲げ加工され、板厚の半分程度折り曲げられる。ここでいう切り曲げ加工とは、プレス機で一部を残したまません断し、大きな塑性変形を与えないで曲げ加工することをいう。
【００３６】
具体的には、ダイ９１（下型）上にセットされストリッパプレート９２に押さえられた分割フレーム２の嵌合部５に先端が斜面に形成されたパンチ９３が下降してコ字状にせん断するとともに、爪状の部分を下方に押圧して塑性変形させる。ストッパ部６や掛止爪７１は、嵌合部５の金属板の表面より板厚の半分程度突出しているが、塑性変形させるには、さらに下方まで押圧する。そして、パンチ９３が上昇するとストッパ部６や掛止爪７１がばね性により戻るが、先端部６１，７２が板厚の半分程度曲がる程度に塑性変形されている。この金属板は弾性を備えるため掛止爪７１は下方から押圧すれば、嵌合部５と同じ面まで撓む。一方、ストッパ部６を先端部６１側から水平に押圧したり、掛止爪７１を先端部７２側から水平に押圧しても、ストッパ部６や掛止爪７１はほとんど変形しない。また、このように加工することで、先端部６１，７２が差込み方向に沿った正確な位置で形成される。
【００３７】
ガイド部５１は、図８に示すようにコ字状に切り込みを入れた後曲げ加工により２回９０度折り曲げ、Ｌ字状の形状を形成する。ここでいう曲げ加工とは、プレス機で一部を残したまません断し、大きく塑性変形させて曲げ加工することをいう。具体的には、図８に示す工程前に、まずパンチによりコ字状にせん断する。そして、せん断された爪状の部分が、一旦嵌合部５と垂直になるように起こされる。そして図８に示すようにダイ９４（下型）上にセットされストリッパプレート９５に押さえられた分割フレーム２の嵌合部５にパンチ９６、可動ダイ９７によりガイド部５１の下端が嵌合部５と平行に、かつ差込み部４１の板厚分の間隙が形成されるように下降する。ここでは模式的に一例を示しているが、もちろん工程を分割・統合して加工することができ、その順序も限定されない。
【００３８】
このように加工することで、嵌合部５の面と直交する方向に正確な位置でガイド部５１を形成できる。またこのとき嵌合部５の面と、ガイド部５１先端の部分との間隙は、差込み部４１の板厚よりも０．０５ｍｍ程度大きくなっており、差込み部４１がガイド部５１により位置が規制されるとともに円滑に摺動するようになっている。
【００３９】
段差部８は、図示しないが段曲げ加工により形成され、この加工法によれば差込み部４１の先端面４３の差込み方向の位置精度を維持しつつ、被嵌合部４の面に直交する方向に板厚分だけ正確にオフセットされる。
【００４０】
また、保持部１２が本体部１１に対して９０度折り曲げ加工され、分割フレーム２の全体が略Ｌ字状の断面形状とされる。
このように、製造された各分割フレーム２の組立について説明する。各分割フレーム２は、各接続部３において手組みにより差込むだけで容易に接続でき、特殊な工具や設備を必要としない。
【００４１】
図９に示すように、フレーム枠１を構成する各分割フレーム２ａ〜２ｈを所定の位置に並べると、それぞれ嵌合部５と被嵌合部４が相対する位置に配置される。そしてそれぞれの嵌合部５と被嵌合部４を接続するときは、図２〜４に示す差込み部４１をガイド部５１の間に挿入する。差込み部４１を嵌合部５に対して差込み方向に相対移動させると、嵌合部５の面から突出した掛止爪７１は差込み部４１に押圧され弾性変形して嵌合部５の面と面一になり差込み部４１の進入を妨げることはない。さらに差込み部４１を挿入すると、差込み部４１の先端面４３がストッパ部６，６の先端部６１，６１に当接する。先端部６１，６１は、前述したように切り曲げ加工により差込み方向に位置精度が高く形成されており、４つのガイド部５１は差込み部４１を差込み方向と直交する方向に正確に位置決めしているため、差込み部４１を正確なロック位置に導く。このとき、差込み部４１の４つの掛止窓７３が嵌合部５の４つの掛止爪７１と正確に位置合わせされる。そうすると、図６に示すように、弾性変形していた掛止爪７１の先端部７２が、それぞれ対応した掛止窓７３の中に進入し、縁端部７４と当接する。したがって、差込み部４１は、差込み方向と反対方向への移動が規制され、嵌合部５に対して固定される。即ち、各分割フレーム２はそれぞれ対応する分割フレーム２に差込むだけで図１０に示すように相互に正確な位置関係で固定される。
【００４２】
なお、誤って組み立てた場合には、掛止窓７３から４つの掛止爪７１を同時に押圧すれば掛止が解除でき、差込み部４１を抜去することができる。
（変形例）
図１０に示すフレーム枠１は、全体が直線部とこれらを結合する４つのコーナー部からなる概ね長方形に形成されているが、各分割フレーム２ａ・２ｃ・２ｅ・２ｇは、フレーム枠１のコーナー部を含んでいる。これらのコーナー部の各分割フレーム２ａ・２ｃ・２ｅ・２ｇは、直線部で分割されている。本実施形態では、この直線部に直線状の各分割フレーム２ｂ・２ｄ・２ｆ・２ｈが接続され、コーナー部の各分割フレーム２ａ・２ｃ・２ｅ・２ｇを接続している。これらにより幅（内寸）Ｗ、高さ（内寸）Ｈのディスプレー用の窓が形成される。
【００４３】
ところで、テレビやコンピュータモニタなどの薄型ディスプレー装置には、対角線の長さで表示される各種の画面サイズがある。さらに縦横比も４：３や１６：９があり、そればかりか規格外のものなど、多様な種類に対応する必要がある。そこで、本実施形態は、図１０に示すフレーム枠１の各分割フレーム２ｂ・２ｆを、図１１に示すように、これよりも短い各分割フレーム２ｉ・２ｊとすることで、フレーム枠１の幅Ｗを、これよりも幅の狭い幅Ｗ１とすることができる。
【００４４】
さらに、図１２に示すように、直線部の各分割フレーム２ｂ・２ｆは、必ずしも必要でなく、コーナー部の各分割フレーム２ａ・２ｃや、２ｅ・２ｇを直接接続するようなものでもよい。このようにすればさらに幅の狭い幅Ｗ２のフレーム枠１とすることができる。このとき、嵌合部５と被嵌合部４は、分割フレーム２の両端にそれぞれ備えているため、直線部の分割フレーム２を取り去っても、コーナー部の分割フレーム２同士が接続できる。なお、高さ方向においても同様の変更ができる。
【００４５】
（第１の実施形態の効果）上記実施形態の薄型ディスプレーのフレーム枠１によれば、以下のような効果を得ることができる。
（１）実施形態では、フレーム枠１が各分割フレーム２に分割されるため、大型のプレス機などを必要とせず各分割フレーム２毎に製造できる。
（２）分割フレームを用いたことで、各種のサイズにも組合せで対応しやすくなるという効果がある。また、部品も共用できるため、在庫も少なくても他品種に対応できる。
（３）特に、コーナー部の各分割フレーム２を共通化して、直線部に任意の長さの分割フレーム２を加えることで、所望の寸法のフレーム枠１を製造することができる。
（４）実施形態では、プレス加工のみで、各分割フレーム２の本体部１１のみならず、保持部１２、ガイド部５１、ストッパ部６、ロック部７を含めた嵌合部５、差込み部４１を含む被嵌合部４が形成できるため、煩雑な工程がなく、工数も少なく製造が容易になる。
（５）また、プレス機を用いるため寸法精度も確保でき、自動生産も容易で生産速度も速く、さらにコスト的にも有利となる。
（６）各分割フレームは溶接やカシメ等の作業なしに差込み部４１をガイド部５１に差込み、被嵌合部４がストッパ部６に当接することで差込み部４１がロック位置に嵌合されるとともに、ロック部７により固定されるため、特殊な設備や道具、熟練も必要とせず、極めて容易にフレーム枠１の全体が組み立てられる。
（７）実施形態では、ガイド部５１を備えるため、差込みが方向が正確にガイドされフレーム枠１の寸法精度が向上する。
（８）また、実施形態では、段差部８により各分割フレーム２の面が面一に形成されるため、フレーム枠１の表面がフラットな形状とすることがでできる。
（９）実施形態では、直線部で分割するため、コーナー部での角度の狂いがなくなる。
【００４６】
（第２の実施形態）
以下、本発明を具体化した他の実施形態である薄型ディスプレーのフレーム枠２０１を図１３，１４にしたがって説明する。フレーム枠２０１は、第１の実施形態のフレーム枠１と、接続部３の構成が異なる以外は共通するので、他の部分の説明は省略する。
【００４７】
図１３に示すように被嵌合部２０４は、分割フレーム２０２の金属板にエンボス加工により形成された突起２４１を備えるものであり、実施形態では、４つの突起２４１が長方形の頂点となるような配置となっている。また、嵌合部２０５は、この突起２４１とそれぞれ対応した位置に設けられた４つの穴２５１を備える。このように構成された嵌合部２０５、被嵌合部２０４は、図１４に示すように、各分割フレーム２０２の一端部に２か所以上設けられ、これらのうち少なくとも２つが互いに直交する分割フレーム２０２の面に配置される。このとき、嵌合部２０５は外側に配置され、被嵌合部２０４は、その内側に配置される。このように配置された被嵌合部２０４の突起２４１は、嵌合部２０５の穴２５１に嵌められる。これらを嵌めるときには、金属板の弾性を利用して撓ませて嵌め込む。一旦嵌め込めば、互いに直交する分割フレーム２０２の面に配置されているため、金属板の弾性により突起２４１が穴２５１から外れることがない。
【００４８】
（第２の実施形態の効果）この実施形態によれば、比較的加工が簡単なエンボス加工とこれに対応した穴を形成するだけで分割フレーム２０２を形成できるため製造が容易になるという効果がある。また、フレーム枠１の組立も突起２４１を穴２５１に嵌め込むだけで簡単にできるという効果がある。
【００４９】
（変更例）なお、上記二つの実施形態は以下のように変更してもよい。
○  差込み部４１、ガイド部５１、ストッパ部６、ロック部７、突起２４１、穴２５１の形状や配置、数量は実施形態に限定されるものではなく、フレーム枠１のサイズや材質により適宜変更されることはいうまでもない。
【００５０】
○  例えば、ストッパ部６は、差込み部４１の先端でなく、基端部分などに設けてもよい。
○  嵌合部５と被嵌合部４とにそれぞれ配置されたロック部７を構成する掛止爪７１と掛止窓７３は、被嵌合部４と嵌合部５において逆に配置されても良い。
【００５１】
○  段差部８も、被嵌合部４の基端部でなく、嵌合部５の基端部に設けられてもよい。
○  嵌合部５の基端部に設けられた段差部８を、ストッパ部６として兼用する構成でもよい。
【００５２】
○  その他保持する薄型ディスプレーにより種々の形状・構成とすることは容易に理解できる。
【図面の簡単な説明】
【００５３】
【図１】薄型ディスプレーのフレーム枠全体をその裏面の右下から見た斜視図。
【図２】分割フレームの一端に設けられた被嵌合部を示す平面図。
【図３】分割フレームの他端に設けられた嵌合部を示す平面図。
【図４】被嵌合部と嵌合部との嵌合を示す平面図。
【図５】図４のＡ−Ａ部分の断面図。
【図６】図４のＢ−Ｂ部分の断面図。
【図７】プレス機におけるストッパ部，掛止爪の切り曲げ加工を示す模式図。
【図８】プレス機におけるガイド部の曲げ加工を示す模式図。
【図９】薄型ディスプレーのフレーム枠を構成する分割フレームの組立前の平面図。
【図１０】組み立てられた薄型ディスプレーのフレーム枠の平面図。
【図１１】サイズを変更したフレーム枠の平面図。
【図１２】サイズを変更したフレーム枠の平面図。
【図１３】別の実施形態のフレーム枠の接続部を示す図。
【図１４】図１３のＣ−Ｃ部分の断面図。
【図１５】従来の薄型ディスプレーのフレーム枠を示す斜視図。
【符号の説明】
【００５４】
１，２０１…（薄型ディスプレーの）フレーム枠、２（２ａ〜２ｊ）…分割フレーム、３（３ａ〜３ｈ）…接続部、４，２０４…被嵌合部、４１…差込み部、４２…側端面、５，２０５…嵌合部、５１…ガイド部、６…ストッパ部、７…ロック部、７１…（掛止部としての）掛止爪、７３…（被掛止部としての）掛止窓、８…段差部、２４１…突起、２５１…穴。
【図１】
0004709000.tif 000002
【図２】
0004709000.tif 000003
【図３】
0004709000.tif 000004
【図４】
0004709000.tif 000005
【図５】
0004709000.tif 000006
【図６】
0004709000.tif 000007
【図７】
0004709000.tif 000008
【図８】
0004709000.tif 000009
【図９】
0004709000.tif 000010
【図１０】
0004709000.tif 000011
【図１１】
0004709000.tif 000012
【図１２】
0004709000.tif 000013
【図１３】
0004709000.tif 000014
【図１４】
0004709000.tif 000015
【図１５】
0004709000.tif 000016